(57)【特許請求の範囲】
【請求項１】
電動送風機と該電動送風機と連通して設けられた集塵室と、該集塵室と前記電動送風機とを内部に設けた掃除機本体と、該掃除機本体の下方に着脱自在で且つ前後方向に回動自在となり、前記集塵室と連通して設けられた吸込口体とを有し、且つ掃除機本体の上部に該本体側に曲折可能なハンドル体を設け、このハンドル体の曲折時に該ハンドル体を掃除機本体の運搬用の握り部として利用する電気掃除機において、前記掃除機本体の下部に、該掃除機本体の側方若しくは下端面側に回動する接続片を設け、該接続片には先端にすきまノズルを備えた付属ホースを装着し、この接続片は前記吸込口体の集塵室への連通時、前記掃除機本体の下部側方に張り出して前記付属ホースを掃除機本体側壁に沿わしめ、前記吸込口体の集塵室への非連通時には、掃除機本体の下端面側に回動させて、前記集塵室と付属ホースとを連通させる如く、該接続片の遊端側を掃除機本体に係止するようにし、
前記付属ホースを掃除機本体側壁に沿わしめた場合には、前記接続片が下部側方へ張り出す幅と、前記付属ホースの掃除機本体側壁から張り出す幅は略同寸であることを特徴とする電気掃除機。
【請求項２】
前記掃除機本体の一端部にハンドル体の一端部を回動自在に設け、前記ハンドル体を掃除機本体に対して曲折させたときにハンドル体と掃除機本体とを一体的に締結するための係止部をハンドル体に設け、前記係止部と係止される被係止部を掃除機本体に設け、前記ハンドル体を前記掃除機本体に対して直線状にしたときは該ハンドル体の先端部に形成した把手部を持ってスティックタイプの掃除機として使用し、前記掃除機本体に対して曲折状にしたときには前記ハンドル体略中央部の握り部を持ってハンディタイプの掃除機として使用することを特徴とする請求項１に記載の電気掃除機。
【請求項３】
前記ハンドル体は回動自在な枢支点を基準として曲折する方向とは反対の方向に膨らむように略くの字型形状をなし、該ハンドル体の遊端部を把手部とすると共に、前記ハンドル体を掃除機本体に対して曲折して保持したときに、ハンドル体と掃除機本体との間に形成される最も広い隙間部に相当するハンドル体部分に握り部を形成したことを特徴とする請求項２に記載の電気掃除機。
【請求項４】
前記ハンドル体を掃除機本体に対して曲折し、握り部を上方にして掃除機を持ち上げたとき、前記ハンドル体の握り部が掃除機の重心位置近傍に位置したことを特徴とする請求項３記載の電気掃除機。
【請求項５】
前記電気掃除機を運転させるスイッチを、前記ハンドル体上であって、前記把手部と前記握り部との間で且つ何れからも指の届く位置に配置したことを特徴とする請求項２から請求項４の何れか一項に記載の電気掃除機。
【発明の詳細な説明】
【０００１】
【発明の属する技術分野】
本発明は、掃除機本体に回動自在なハンドル体を設けた電気掃除機と付属のすきまノズルを有する電気掃除機に関する。
【０００２】
【従来の技術】
図１６に示す全体図に従い従来の電気掃除機を説明する。図の電気掃除機は、電動送風機ｃと該電動送風機ｃに連通して設けられた集塵室ｄと電源コードｅを回転体ｆ１に納めゼンマイで前記電源コードｅを巻き取り方向に付勢したコードリールｆとが内部に設けられた掃除機本体ａと、該掃除機本体ａに回動自在で前記集塵室ｄと連通しかつ着脱可能に設けられた吸込口体ｇと掃除機本体ａの上方に回動自在に取り付けられたハンドル体ｂとを有している。この電気掃除機においては、前記電動送風機ｃにより吸込口体ｇから吸引された空気は、集塵室ｄを経て該電動送風機ｃを通り、掃除機本体ａに設けられた排気用格子穴ｈを通り外部に排出される。また、前記のような一連の動作により、集塵室ｄの紙袋ｉ内に塵埃を収集する。
【０００３】
なお、ホースは、掃除機本体ａの前記集塵室ｄに一端を固定しておき、他端はすきまノズルを着脱自在にしたものや、完全に分離し、ホース使用時のみ掃除機本体ａに接続するものや、簡易的に掃除機本体ａにかけておくものがあり、すきまノズルをホースに接続し使用する。すきまノズルは、先端外周部に植毛したものや植毛していないもの、または、別ピースの植毛体を取りつけるものがある。
【０００４】
また、電気掃除機の公知文献として特開平６−２４５８８９号公報に記載されているように、図１６に示すように、ハンドル体ｂと一体に該ハンドル体ｂの支持部ｊに形設されたリング状の本体把手ｋを有するものもある。
【０００５】
さらに、吸込口体ｇの掃除機本体ａへの締結方法として、特公平６−７５５６１号公報に一例が記載されている。この公報には、吸込口体と掃除機本体との間の締結を係止部（鎖錠部）で行い、該鎖錠部の操作押しボタンを吸込口体の当たり面に当たるようにして、鎖錠部の解除が簡単にできるようにする掃除機が示されている。
【０００６】
【発明が解決しようとする課題】
前記従来技術において、以下に挙げる問題点がある。従来技術においては、ハンドル体が掃除機本体に回動自在に取り付けられ、掃除機本体に対しハンドル体が曲折し、収納される。しかしながら、曲折した状態でロックされていないため、ハンドル体を持って掃除したり持ち運びが出来なく、持ち運ぶため別に本体把手を設ける必要があり、外観性、使用性が悪く、コストも高くつく。
【０００７】
また、電源コードは平行二芯や断面丸型のキャブタイヤコードが使用されているが、平行二芯では、消費電力５００Ｗを超える電気掃除機に適しておらず、また、断面丸型キャブタイヤコードではコードリール外径が大きくなり、小型・ハイパワーの電気掃除機に向いていない。また、電源コードの出口は、掃除機本体の後面が側方に向けておかれているため、掃除機本体よりプラグが飛び出し、外観性が悪く、また、使用者より前方に出口を有するため、使用者の足元付近に電源コードがたるむときがあり、邪魔になったり、電源コードの傷付きの恐れがある。
【０００８】
また、ホースは完全に分離しているため、使用時に掃除機本体に差し込む手間が必要であり、また、掃除機本体からはずれやすいため使用性が悪い。これに対して、ホース着脱に係止部を設けたものでは、クランプ、スプリング、カバー、ビス等が必要であり、コストが高くつく。ホースが掃除機本体側方で集塵室に連通した箇所に固定されたものでは、差し込む手間は不要であるが、固定箇所が本体の略中央部に位置するため、外観性が悪く、ホース使用範囲が短く、使用性が悪い。また、特公平６−７５５６１号記載のように吸込口体を掃除機本体に接続するものは、別ピースのクランプ、スプリング、カバー、ビス等が必要であり、コストが高く、組立性が悪い。
【０００９】
また、すきまノズルは、ホースと別ピースになっているため、すきまノズルを使用する時、ホースに差し込む手間が必要であり、使用性が悪く、コストも高くつく。また、すきまノズルの開口部の全周に植毛されているものは、コストがかかり、また、植毛が開口部内に倒れ込む不具合を生じたり、植毛に糸くずや髪の毛等のごみがからみつき、除去を行う手間がかかるので使用性が悪い。すきまノズルと植毛体が別ピースの場合、着脱の手間が必要であり、植毛体の紛失の可能性もある。
【００１０】
また、排気用格子穴は、排気方向を換えることが出来ないため、使用状態により床面のごみを捲き上げたり、使用者に排気があたったりする問題点がある。以上のように、使用性、外観性が悪く、コストが高くつく構造となっていた。
【００１１】
本発明は、前記従来の問題点を解消するためなされたものであって、操作性が良い、使用性に優れる、回転自在なハンドルを設けた電気掃除機を提供することを課題とする。
【００１２】
【課題を解決するための手段】
第１の発明によれば、電動送風機と該電動送風機と連通して設けられた集塵室と、該集塵室と前記電動送風機とを内部に設けた掃除機本体と、該掃除機本体の下方に着脱自在で且つ前後方向に回動自在となり、前記集塵室と連通して設けられた吸込口体とを有し、且つ掃除機本体の上部に該本体側に曲折可能なハンドル体を設け、このハンドル体の曲折時に該ハンドル体を掃除機本体の運搬用の握り部として利用する電気掃除機において、前記掃除機本体の下部に、該掃除機本体の側方若しくは下端面側に回動する接続片を設け、該接続片には先端にすきまノズルを備えた付属ホースを装着し、この接続片は前記吸込口体の集塵室への連通時、前記掃除機本体の下部側方に張り出して前記付属ホースを掃除機本体側壁に沿わしめ、前記吸込口体の集塵室への非連通時には、掃除機本体の下端面側に回動させて、前記集塵室と付属ホースとを連通させる如く、該接続片の遊端側を掃除機本体に係止するようにし、前記付属ホースを掃除機本体側壁に沿わしめた場合には、前記接続片が下部側方へ張り出す幅と、前記付属ホースの掃除機本体側壁から張り出す幅は略同寸であることを特徴とするものである。
【００１３】
このように構成することにより、ハンドル体を曲折することで掃除機をコンパクトに運搬、収納できること勿論、付属ホースを掃除機本体の側方に収納したままの状態で吸込口体より広範囲の掃除を行うことができ、また、狭い箇所を掃除する場合には、前記吸込口体を掃除機本体より取り外して、接続片を掃除機本体の下端面側に回動させ、集塵室と付属ホースとを連通させる如く、該接続片の遊端側を掃除機本体に係止するだけで、前記接続片に装着した付属ホースのすきまノズルにより簡単に掃除することができ、付属ホースの使用、不使用時の取り扱いが頗る容易となり、さらに、付属ホースとすきまノズル及び接続片が一体となって掃除機本体側壁に沿わせることができるので、極めて使い勝手の良い電気掃除機を提供することができるものである。
【００１６】
第２の発明によれば、前記掃除機本体の一端部にハンドル体の一端部を回動自在に設け、前記ハンドル体を掃除機本体に対して曲折させたときにハンドル体と掃除機本体とを一体的に締結するための係止部をハンドル体に設け、前記係止部と係止される被係止部を掃除機本体に設け、前記ハンドル体を前記掃除機本体に対して直線状にしたときは該ハンドル体の先端部に形成した把手部を持ってスティックタイプの掃除機として使用し、前記掃除機本体に対して曲折状にしたときには前記ハンドル体略中央部の握り部を持ってハンディタイプの掃除機として使用するものである。このように、ハンドル体に一端部に把手部と略中央部に握り部を各々設けているので、前記ハンドル体を掃除機本体に対して直線上に支持した時は、把手部を持って通常のスティックタイプ（掃除機本体とハンドル体を一直線状にしての使用形態）での使用が可能となる。また、前記ハンドル体を曲折させ該ハンドル体の把手部を前記掃除機本体と係止して収納した場合は、前記ハンドル体の略中央部に握り部が設けられているため、該握り部を持ってハンディタイプ（掃除機本体の直近にハンドル体を位置させた使用状態）での使用が可能となる。したがって、スティックタイプとハンディタイプとの一台で２通りの使用ができる。また、把手部と握り部とをハンドル体に一体に設けたので、外観性、使用性に優れ、コスト的にメリットがある。
（３）  第３の発明は、前記握り部をハンドル体と掃除機本体との間の略くの字型の広いすきまに位置するように設けることを特徴とする第２の発明に記載の電気掃除機である。このようにすれば、掃除機本体に対して回動自在に支持されたハンドル体を、前記掃除機本体に対して直線状に支持したとき、略「く」の字形状になるように設けられることになるので、前記ハンドル体を曲折させ前記掃除機本体と係止して収納したとき、前記ハンドル体は略「く」の字形状になる。この場合において、前記握り部が前記略「く」の字形状の広い隙間部分に位置して設けられるので、ハンディタイプでの使用時に、手が掃除機本体に触れることなく、ハンドル体の握り部を容易に握ることができる。
（４）  第４の発明は、ハンドル体の握り部を上方にして掃除機を持ち上げたとき、前記ハンドル体の握り部が掃除機本体の重心位置に近傍にくるようにハンドル体を形成することを特徴とする第３の発明に記載の電気掃除機である。このようにすれば、前記ハンドル体の握り部が前記掃除機本体の重心位置と一致するため、ハンディタイプとしての使用時に安定性に優れて安定感にある使用ができ、使用性が向上する。
（５）  第５の発明は、前記電動送風機を運転させるスイッチを前記ハンドル体に設け、スイッチは、該ハンドル体を掃除機本体に対して直線上に支持したときおよび曲折させ収納状態としたときのいずれの場合にも、前記スイッチで掃除機本体を運転可能な位置に設けることを特徴とする第２〜第４の発明に記載の電気掃除機である。
【００１７】
第５の発明によれば、掃除機本体に対し、回動自在に支持されたハンドル体に、電動送風機を運転、停止するためのスイッチが設置されているので、前記ハンドル体を掃除機本体に対し直線上に支持しスティックタイプとして使用する場合及び前記ハンドル体を曲折させ把手部を掃除機本体に係止収納し、ハンディタイプとして使用するいずれの場合でも前記スイッチのみで掃除機本体を運転、停止できる。また、運転、停止のスイッチをひとつとしてハンドル体に設ければ、ハンドル体内部の配線処理が非常に簡単にでき、組立性が向上する。またコスト的にも有利である。
（６）  第５の発明において、前記スイッチを把手部の近傍（指の届く距離）でかつ握り部の近傍（指の届く距離）に設けることができる。これにより、ハンドル体は掃除機本体に回動自在に支持されており、電動送風機を運転、停止させるスイッチは前記ハンドル体を掃除機本体に対し、直線上に支持されスティックタイプとして使用する場合、把手部より指の届く距離に配置されており、かつハンドルを曲折させ掃除機本体に把手部を係止、収納しハンディタイプとして使用する場合の握り部より指の届く距離に配置されているので、スティックタイプ、ハンディタイプのいずれの場合にも指一本で前記電動送風機を簡単に操作で運転、停止できる。
【００２２】
【発明の実施の形態】
以下、図面を参照して本発明の実施の形態について詳細に説明する。図１は実施の形態に係る電気掃除機の全体構成の概略図、図２は、収納状態にあるハンドル体と、掃除機本体との位置関係図、図３は、Ａ部（図２）拡大図、図４はホース動作図、図５はＢ−Ｂ線（図４）断面図、図６は吸込口取付部の概略図、図７の（ａ）、（ｂ）、（ｃ）は楕円形キャブタイアコードを使用したコードリールの断面図、斜視図、コード断面図、図８は従来の円形型キャブタイアコードを使用したコードリールの断面図、図９は電源コードの出口がハンドル体の先端にある掃除機の概略図、図１０は排気口部の概略図、図１１（ａ）、（ｂ）は植毛体を取り付けたすきまノズルの断面図、正面図、図１２は植毛体を取り付けすきまノズルの斜視図、図１３の（ａ）、（ｂ）はそれぞれすきまノズルから着脱できる植毛体の斜視図、（ｃ）すきまノズルへの取り付け説明図、図１４の（ａ）、（ｂ）は回転自在の植毛体を取り付けたすきまノズルの断面図、正面図、図１５はリップを取り付けたすきまノズルの図である。
【００２３】
また、図１〜図１５において、１は掃除機本体、２は電動送風機、３は集塵室、４は吸込口体、５はハンドル体、６は把手部、７は支持部、８は握り部、９はスイッチ、１０は電源コード、１１はゼンマイ、１２はコードリール、１３はホース、１４は接続片、１５はすきまノズル、１６は機構室、１７は前ケース、１８は後ケース、１９は排気用格子穴、１９ａはルーバー、１９ｂは調整片、１ａは被係止部（ハンドル）、１ｂは底面、１ｃは被係止部（ホース）、１ｄは開口穴、１ｅは軸受部、１ｆは穴、４ａは係止部、４ｂは上ケース、４ｃは下ケース、４ｄは開口部、４ｅは駆動パイプ、４ｆは前車輪、４ｇは後車輪、４ｈは連絡路、４ｊは爪部、５ａは係止部、５ｂは解除ボタン、５ｃは弾性体、１０ａは被覆、１０ｂはプラグ、１０ｃは出口、１４ａは係止部、１４ｂは被係止部、１４ｃは密閉体、１４ｄは軸、１４ｅは爪部、１５ａは開口部、１５ｂは植毛体、１５ｃはリップ、１５ｄは植毛、１５ｅはつまみ、１５ｆは係止部、１５ｇは被係止部、１５ｈは突起、１５ｊは穴、２０は紙袋である。
【００２４】
図１に示すように、前記電気掃除機は、電動送風機２と該電動送風機２の下方に連通して設けられた集塵室３と、前記電動送風機２の上方に設けられた、電源コード１０を回転体１２ａに納め、ゼンマイ（付勢手段に相当）１１で前記電源コード１０を巻き取り方向に付勢したコードリール１２とが内部に設けた上下に長い掃除機本体１と、該掃除機本体１に回動自在で前記集塵室３と連通し、かつ着脱可能に設けられた吸込口体４と、掃除機本体１の上方に回動自在に取り付けられたハンドル体５とを有している。この電気掃除機においては、前記電動送風機２により吸込口体４から吸引された空気は、集塵室３を経て該電動送風機２を通り、掃除機本体１に設けられた排気用格子穴（図１では図示省略）を通り外部に排出される。また、前記のような一連の動作により、集塵室３の紙袋２０内に集塵を収集する。
【００２５】
図１において、ハンドル体５は、略「く」の字（あるいは弓形）形状を呈しており、ハンドル体５の他端部は掃除機本体１の上端部に組み込まれている支持部７により、回動自在に支持されている。ハンドル体５の一端部は、ハンドル体５を掃除機本体１の直線上に伸ばしたときに使用者（ユーザー）が握れる把手部６になっており、該把手部６の先端６ａは角度をもって曲がり、その先で平坦になっている。
【００２６】
そして、ハンドル体５を図２のように収納状態にしたときに、図２のＡ部に示す、前記把手部６先端は、掃除機本体１下部側面の凹部１ａ１内に嵌り込む構造となっている。前記把手部６先端内には、図３のように、Ｌ形フック状の回動可能な係止部５ａと、該係止部５ａを解除方向に押すための解除ボタン５ｂと、前記係止部５ａを係止方向へ付勢するための例えばコイルスプリングからなる弾性体５ｃとからなる係止機構が設けられる。なお、前記凹部１ａ１内壁面には、前記係止部５ａの先端が嵌り込んで掛け留まる孔からなる被係止部１ａが穿設されている。
【００２７】
図２のように、ハンドル体５を収納状態にしたとき、ハンドル体５の他端部にある把手部６内に、図３が示すように設けた係止機構の係止部５ａが、掃除機本体１後部に設けられている被係止部１ａに係止し、ハンドル体５と掃除機本体１が固定される。これは、ハンドル体５内係止機構の弾性体５ｃによって常時、図３の上方向へ圧迫しているため、係止部５ａは被係止部１ａにはずれることなく係止続ける。
【００２８】
又、ハンドル体５を掃除機本体１から解除する時は、ハンドル体５の把手部６内に設けられた係止機構の解除ボタン５ｂを押すことにより、係止部５ａが回転し（図３の矢印Ｆ方向）、掃除機本体１後部の被係止部１ａより解除され、ハンドル体５は、回動自在となる。解除ボタン５ｂをはなした時、係止部５ａが弾性体５ｃにより付勢されているために、逆方向へ自然に回転し（図３の矢印Ｒ方向）、元の位置に復帰できる。
【００２９】
図１において、ハンドル体５の一端部に把手部６、略中央部に握り部８が一体に設けられている。これにより、ハンドル体５を掃除機本体１の上下方向に対して直線上に支持した時は、把手部６を使用することにより、通常のスティックタイプとして使用可能である。また、図２に示すように、ハンドル体５を曲折し、把手部６を掃除機本体１と係止して収納した場合は、ハンドル体５の略中央部に握り部８が設けられているため、中央部の握り部８を使用することにより、掃除機を簡単に持つことができ、ハンディタイプとしての使用が可能である。
【００３０】
その上、ハンドル体５の握り部８がハンドル体５の収納状態において、掃除機本体１の重心位置Ｇと一致させている。したがって、ハンディタイプとして使用する場合には、安定感のある使用ができる。なお、重心位置Ｇとかならずしも一致する必要はなく、近傍にしてもよい。
【００３１】
図１において、ハンドル体５は、掃除機本体１に対し直線上に支持した時、概略「く」の字型になるように設けられているので、ハンドル体５の把手部６をハンドル体５を曲折して掃除機本体１に係止して収納した時も、ハンドル体５は略「く」の字型となり、握り部８の位置が略「く」の字型の広いすきま部分に設けられることになる。したがって、ハンディタイプ（ハンドル体５を収納したときの使用形態）の使用時、使用者の手が掃除機本体１に対しふれることなくハンドル体５を握れ、容易な操作ができる構造になっている。
【００３２】
図１において、掃除機本体１に対し、回転自在に支持されたハンドル体５内部に、掃除機本体１内部に設置された電動送風機２を運転、停止させるためのスイッチ９がハンドル体５外側面から操作可能（例えば図１で左側の外側面）に設置されている。このため、ハンドル体５を掃除機本体１に対し、直線上に支持しスティックタイプ（ハンドル体５を伸ばした使用形態）として使用する場合、及び、ハンドル体５を曲折し、把手部６を、掃除機本体１に係止し収納しハンディタイプとして使用する場合のいずれの場合でも使用者が親指等での操作することによりスイッチ９で掃除機本体１の運転、停止の操作が可能となっている。
【００３３】
またこのスイッチ９は、前記電気掃除機をスティックタイプとして使用する場合の把手部６より使用者の指が届く距離に配置されてあり、かつ、掃除機本体１に把手部６を係止し収納した、ハンディタイプとして使用する場合においても、握り部８より指の届く距離に配置されているため、スティックタイプ、ハンディタイプのいずれの状態において使用する場合も、指一本で掃除機本体１の運転、停止の操作が可能となっている。
【００３４】
ここで、前記電気掃除機のコードリール１２には、図７に示すように、断面形状を楕円形にしたキャブタイヤコードからなる電源コード１０を巻き付けて設置し、絶縁距離を確保するとともに、５００Ｗを超える消費電力にも対応でき、ハイパワーの電気掃除機が得られるようになっている。更に、図７の（ｃ）のように電源コード１０の絶縁被覆１０ａは、断面形状が楕円形の偏平であるため、図８に示す従来の断面丸型の電源コード５０を設置したコードリール５２よりも、前記コードリール１２の外側方向の縮少化がはかられ、それに加えて掃除機本体１の小型化も図られる。
【００３５】
また、図９に示すように、前記電気掃除機の電源コード１０は、掃除機本体１内部を上向きに引き出され、ハンドルの支持部７を経て、ハンドル体５の内部へ入り、ハンドル体５の把手部６の先端をプラグ１０ｂの出口１０ｃとして配置されている。そのため、掃除機本体１使用時に電源コード１０が使用者付近に落下することがなく、また収納時には、プラグ１０ｂが本体より飛び出さないようになっている。
【００３６】
図４に示すように、掃除機本体１には、基部が蛇腹になった円筒形のホース１３と先細のすきまノズル１５と筒状の接続片１４とが一体となって取り付けられている。また、この接続片１４は、掃除機本体１の底面１ｂに設けられている軸受部１ｅで回動自在に支持されている。そのため、接続片１４の内周面に付属ホース１３基部（蛇腹部）の外周面が螺合する等して、接続片１４は付属ホース１３と一体となって掃除機本体１に対し回動することができ、また、付属ホース１３が、掃除機本体１からはずれることのない機構になっている。さらに、前記接続片１４が回動し、掃除機本体１と一直線上に支持された時、接続片１４に設けられた先端に爪部１４ｅのある係止部１４ａが掃除機本体１の底面１ｂに設けられた穴１ｆからなる被係止部１ｃとに挿入されて掛かって係止部１４ａが被係止部１ｃに係止する。これによってハンディタイプの掃除機として使用時にホース１３がはずれないようにしている。また、係止部１４ａの爪部１４ｅは接続片１４と一体に形成されており、その爪部１４ｅが掃除機本体１の底面１ｂに設けられている、被係止部１ｃ（１４ｂ）の穴１ｆに挿入することにより、接続片１４と掃除機本体１とを係止する機構となっている。係止部１４ａは爪部１４ｅを係止する方向に弾発する構造になっていた係止状態を安定に保持する。
【００３７】
加えて、接続片１４を解除する場合は、接続片１４と一体に形成されている係止部１４ａを押すことにより、樹脂が持つ弾性の特性をいかし、たわませることにより係止を解除する機構となっている。さらに図６に示すように、この接続片１４の被係止部１ｃは、接続片１４を解除し、掃除機本体１に対して回動させ、掃除機本体１の側面で待機させた後に、吸込口体４を掃除機本体１に取付ける場合には、吸込口体４の係止部４ａを被係止部１ｃの穴１ｆに挿入することにより、吸込口体４と、掃除機本体１とを係止することもでき、被係止部１ｃの穴１ｆは、接続片１４を回動させ、ホース１３を使用する場合でも、吸込口体４を使用する場合でも、それぞれの被係止部１ｃとして兼用できるようになっている。
【００３８】
接続片１４の下面には柔軟な樹脂材からなる密閉体１４ｃが設けられている。そのため、接続片１４が掃除機本体１と一直線上に支持された時、密閉体１４ｃが接続片１４と掃除機本体１との間に位置することによって、より高い密閉性をつくり出せるようになっている。
【００３９】
なお、図５に示すように、ホース１３とすきまノズル１５は一体に形成されており、個別にではなく一体でもって、ブロー成形されているため、すきまノズル１５をホース１３に取付ける手間がかからないような構造になっている。
【００４０】
図６に示すように、吸込口体４に係止し図６の正面方向に沿って回動自在に設けられた駆動パイプ４ｅには、一体形成された係止部４ａとその爪部４ｊがあり、この爪部４ｊを掃除機本体１の底面１ｂに設けられた被係止部１ｃの穴１ｆに挿入することによって、駆動パイプ４ｅと、掃除機本体１とを係止するようになっている。そして、駆動パイプ４ｅと、吸込口体４は回動自在ながらも係止しており、これによって吸込口体４と掃除機本体１は係止できるようになっている。さらに、吸込口体４と掃除機本体１をはずす場合は、駆動パイプ４ｅと一体形成である係止部４ａを押すことによって生じる樹脂の弾性によるたわみを利用して、係止部４ａを引き抜くことにより解除できるようになっている。
【００４１】
図１０に示しているように、掃除機本体１の後ケース１８の側面部の適宜位置には格子穴１９が設けられ、この後ケース１８内部に格子穴１９に対向して風向角度を調整するルーバー１９ａが設けられている。このルーバー１９ａのルーバー機構１９ｃと掃除機本体１の後ケース１８とは、互いにリブ１９ｄ、１８ａで固定するようになっており、掃除機本体１をどの方向に向けてもルーバー１９ａやルーバー機構１９ｃ等は、前記後ケース１８からは脱落しないようになっている。
【００４２】
前記ルーバー１９ａは複数の板片からなり一端がルーバー機構に回動可能に軸支させ、他端には、前記風向角度調整用の一つの調整片１９ｂを軸設している。この調整片１９ｂの一端が後ケース１８から後ろケース１８の外部に突出している。調整片１９ｂは可動物なため、これによってルーバー１９ａの傾きは一括して使用者が調整片１９ｂを操作することによって調整できるため、排気の格子穴１９からの風向を任意に変えることができる。
【００４３】
図１１、図１２に示すように、すきまノズル１５は、図１３で示されているような植毛体１５ｂ、すきまノズル１５本体からなりたっている。すきまノズル１５本体は、先端がほぼ偏平に両側面から押し潰されたような形状を呈して開口部がほぼ矩形を呈しており、該開口部１５ａの近くの一方向の異なる面（両面）に各１つずつの穴１５ａ１、１５ａ１が設けられている。一方、植毛体１５ｂは一つの面（図１３では上面）のセンター（中央部：ほぼ中央部でも良い）に植毛１５ｄを配置し、４側面のうちの２面（短辺側側面）１５ｂ２、１５ｂ２には各１つずつのリブ１５ｂ１、１５ｂ１が突出形成されている。このリブ１５ｂ１、１５ｂ１のついた面同士は互いに平行である。そして、すきまノズル１５本体に設けられた開口部１５ａ近傍の穴１５ａ１、１５ａ１に植毛体１５ｂのリブ１５ｂ１、１５ｂ１をはめこんだものが図１１、図１２に示しているすきまノズル１５である。このすきまノズル１５は、植毛体１５ｂが開口部１５ａの略中央部に設置されており、すきまノズル１５の使用時に、植毛体１５ｂの植毛部が開口部１５ａ内に倒れ込むのを防ぐことができる。
【００４４】
また、図１４、図１５に示すように、植毛体１５ｂは、すきまノズル１５の先端開口部１５ａの略中央部に回転自在に取り付けられ、すきまノズル１５の外側から植毛体１５ｂと一体となるように、つまみ１５ｅをすきまノズル１５の外側に取り付けることができる。このつまみ１５ｅを回転させることにより、植毛体１５ｂも回転でき、植毛１５ｄを使用する、しないの使い分けが可能となっている。
【００４５】
また、図１４、図１５に示すように、すきまノズル１５は、先端開口部１５ａの略中央に回転自在に動く植毛体１５ｂを取り付け、かつ、その回転方向の開口部１５ａ、両端にリップ１５ｃを設けることができるものであり、植毛体１５ｂをつまみ１５ｅで回転させると、植毛１５ｄの先端がリップ１５ｃに当たるようになっており、これにより、植毛１５ｄにからまったゴミをかき出すことができるようになっている。
【００４６】
図１３の（ｂ）に示すものは、回転する植毛体１５ｂを、すきまノズル１５、開口部１５ａより着脱できるようにつまみ１５ｅを別部品にしたもので、植毛体１５ｂに設けた係止部１５ｆの突起１５ｈがすきまノズル１５側に設けた被係止部１５ｇの穴１５ｊに嵌合して取り付けられるようになっている。植毛体１５ｂを取りはずす場合は、係止部１５ｆの突起１５ｈを押し、植毛体１５ｂの樹脂の弾性を利用し突起１５ｈを被係止部１５ｇの穴１５ｊよりはずして取りはずすようになっている。
【００４７】
【発明の効果】
請求項１に係る発明によれば、ハンドル体を曲折することで掃除機をコンパクトに運搬、収納できること勿論、付属ホースを掃除機本体の側方に収納したままの状態で吸込口体より広範囲の掃除を行うことができ、また、狭い箇所を掃除する場合には、前記吸込口体を掃除機本体より取り外して、接続片を掃除機本体の下端面側に回動させ、集塵室と付属ホースとを連通させる如く、該接続片の遊端側を掃除機本体に係止するだけで、前記接続片に装着した付属ホースのすきまノズルにより簡単に掃除することができ、付属ホースの使用、不使用時の取り扱いが頗る容易となり、さらに、付属ホースとすきまノズル及び接続片が一体となって掃除機本体側壁に沿わせることができるので、極めて使い勝手の良い電気掃除機を提供することができるものである。
【００４８】
第２の発明によれば、ハンドル体を掃除機本体に対して直線上に支持したとき、通常のスティックタイプの使用ができ、ハンドル体を掃除機本体に対して曲折して収納したとき、ハンドル体の略中央部を握ってハンディタイプの使用と１台で２通りの使い方ができる。さらに把手部と握り部がハンドル体に一体に設けたので、外観性・使用性に優れ、コスト的にもメリットがある。
【００４９】
第３の発明によれば、握り部が前記略「く」の字形状の広い隙間部分に位置して設けられるので、ハンディタイプでの使用時に、手が掃除機本体に触れることなく、ハンドル体の握り部を容易に握ることができる。
【００５０】
第４の発明によれば、ハンドル体の握り部が前記掃除機本体の重心位置と一致するため、ハンディタイプとしての使用時に安定性に優れて安定感にある使用ができ、使用性が向上する。
【００５１】
第５の発明によれば、ひとつのスイッチをハンドル体に設けたので、ハンドル体内部の配線処理が非常に簡単にでき、組立性が向上する。またコスト的にも有利である。
【図面の簡単な説明】
【図１】実施の形態に係る電気掃除機の全体構成の概略図である。
【図２】収納状態にあるハンドル体と、掃除機本体との位置関係図である。
【図３】図２のＡ部拡大図である。
【図４】ホース動作図である。
【図５】図４のＢ−Ｂ線断面図である。
【図６】吸込口取付部の概略図である。
【図７】（ａ）、（ｂ）、（ｃ）は楕円形キャブタイアコードを使用したコードリールの断面図、斜視図、コード断面図である。
【図８】従来の円形型キャブタイアコードを使用したコードリールの断面図である。
【図９】電源コードの出口がハンドル体の先端にある掃除機の概略図である。
【図１０】排気口部の概略図である。
【図１１】（ａ）、（ｂ）は植毛体を取り付けたすきまノズルの断面図、正面図である。
【図１２】植毛体を取り付けすきまノズルの斜視図である。
【図１３】（ａ）、（ｂ）はそれぞれすきまノズルから着脱できる植毛体の斜視図、（ｃ）はすきまノズルへの取り付け説明図である。
【図１４】（ａ）、（ｂ）は回転自在の植毛体を取り付けたすきまノズルの断面図、正面図である。
【図１５】リップを取り付けたすきまノズルの図である。
【図１６】従来の電気掃除機の説明図である。
【符号の説明】
１  掃除機本体
２  電動送風機
３  集塵室
４  吸込口体
５  ハンドル体
６  把手部
７  支持部
８  握り部
９  スイッチ
１０  電源コード
１１  ゼンマイ
１２  コードリール
１３  ホース
１４  接続片
１５  すきまノズル
１６  機構室
１７  前ケース
１８  後ケース
１９  排気用格子穴
１９ａ  ルーバー
１９ｂ  調整片
１ａ  被係止部（ハンドル）
１ｂ  底面
１ｃ  被係止部（ホース）
１ｄ  開口穴
１ｅ  軸受部
１ｆ  穴
４ａ  係止部
４ｂ  上ケース
４ｃ  下ケース
４ｄ  開口部
４ｅ  駆動パイプ
４ｆ  前車輪
４ｇ  後車輪
４ｈ  連絡路
４ｊ  爪部
５ａ  係止部
５ｂ  解除ボタン
５ｃ  弾性体
１０ａ  被覆
１０ｂ  プラグ
１０ｃ  出口
１４ａ  係止部
１４ｂ  被係止部
１４ｃ  密閉体
１４  ｄ軸
１４ｅ  爪部
１５ａ  開口部
１５ｂ  植毛体
１５ｃ  リップ
１５ｄ  植毛
１５ｅ  つまみ
１５ｆ  係止部
１５ｇ  被係止部
１５ｈ  突起
１５ｊ  穴
２０  紙袋
【図１】
0003670951.tif 000002
【図２】
0003670951.tif 000003
【図３】
0003670951.tif 000004
【図４】
0003670951.tif 000005
【図５】
0003670951.tif 000006
【図６】
0003670951.tif 000007
【図７】
0003670951.tif 000008
【図８】
0003670951.tif 000009
【図９】
0003670951.tif 000010
【図１０】
0003670951.tif 000011
【図１１】
0003670951.tif 000012
【図１２】
0003670951.tif 000013
【図１３】
0003670951.tif 000014
【図１４】
0003670951.tif 000015
【図１５】
0003670951.tif 000016
【図１６】
0003670951.tif 000017